(57)【要約】完全包囲形パックが、タッカーフィンガを使用しないでブランク（１０）から形成することができるガセット（１００）を備えている。カートンの側端部パネル（５２）と折り込みパネル（１０６）との間に切り込み（１３０）が設けられている。側端部パネル（５２、４８、６０、５６）を折り曲げるとき、切り込み（１３０）が折り込みパネル（１０６、１１６、８６、９６）を内側に引き込むのを助け、それにより、折り曲げ／糊付け作業において、タッカーフィンガを使用しないでカートンのガセットの形をとることができるようにする。
2008501587.tif 000002
【特許請求の範囲】
【請求項１】
完全包囲形ラップアラウンド式カートンであって、
上部パネルを備え、該上部パネルは、傾斜上側パネルに連結され、該傾斜上側パネルは、下側パネルに連結され、該下側パネルは、底部パネルに連結されており、
該カートンは、各下側パネルの各側に連結された側端部パネル、及び前記上部パネルの各側に連結された上端部パネルを有し、さらに、
前記底部パネルは、閉鎖位置に折り曲げられることができ、前記上端部パネルは、折り線で連結された２部材ウェブによって閉じられることができ、また、該ウェブは、それぞれ対応の傾斜上側パネル及び側端部パネルに連結されており、また、該ウェブは、折り込みパネル、ガセットパネル、及び各々の該折り込みパネルと各々の前記側端部パネルとの間に形成された切り込みを有し、該切り込みは、該カートンの作製中に折り込みパネルを内側に引き込むことができるようにする、完全包囲形ラップアラウンド式カートン。
【請求項２】
各々の上側パネルと２部材ウェブ間とのに開口が設けられている、請求項１に記載のカートン。
【請求項３】
前記底部パネルの各々は、相互連結形ロッキング機構を有する、請求項１に記載のカートン。
【請求項４】
前記カートンは、ボトルを収容することができる、請求項１に記載のカートン。
【請求項５】
前記上端部パネルの各々は、前記カートンの各端部に対して追加構造を与えることができる折り線で相互連結された上端部パネルフラップを有する、請求項１に記載のカートン。
【請求項６】
完全包囲形ラップアラウンド式カートンを形成するためのブランクであって、
上部パネルを備え、該上部パネルは、傾斜上側パネルに連結され、該傾斜上側パネルは、下側パネルに連結され、該下側パネルは、底部パネルに連結されており、
該ブランクは、各下側パネルの各側に連結された側端部パネル、及び前記上部パネルの各側に連結された上端部パネルを有し、さらに、
前記底部パネルは、閉鎖位置に折り曲げられることができ、前記上端部パネルは、折り線で連結された２部材ウェブによって閉じられることができ、また、該ウェブは、それぞれ対応の傾斜上側パネル及び側端部パネルに連結されており、また、該ウェブは、折り込みパネル、ガセットパネル、及び各々の前記折り込みパネルと各々の前記側端部パネルとの間に形成された切り込みを有し、該切り込みは、該ブランクを前記カートンになるように形成する間、折り込みパネルを内側に引き込むことができるようにする、完全包囲形ラップアラウンド式カートン。
【請求項７】
完全密封形ラップアラウンド式カートンをブランクから作製する方法であって、該カートンは、上部パネルを備えるブランクを有し、該上部パネルは、傾斜上側パネルに連結され、該傾斜上側パネルは、下側パネルに連結され、該下側パネルは、底部パネルに連結されており、前記ブランクは、各下側パネルの各側に連結された側端部パネル、及び前記上部パネルの各側に連結された上端部パネルを有し、さらに、前記底部パネルは、閉鎖位置に折り曲げられることができ、前記上端部パネルは、折り線で連結された２部材ウェブによって閉じられることができ、また、該ウェブは、それぞれ対応の傾斜上側パネル及び側端部パネルに連結されており、また、該ウェブは、折り込みパネル、ガセットパネル、及び各々の該折り込みパネルと各々の前記側端部パネルとの間に形成された切り込みを有し、該切り込みは、前記カートンの作製中に前記折り込みパネルを内側に引き込むことができるようにする、完全密封形ラップアラウンド式カートンをブランクから作製する方法であって、
前記底部パネルを合わせて固定することであって、それにより、スリーブを形成する、固定すること、
前記切り込みが前記ガセットパネルを内側に引き込むようにして、前記側端部パネルを閉じること、及び
前記上端部パネルを前記側端部パネルに固定すること
を含む、完全密封形ラップアラウンド式カートンをブランクから作製する方法。
【請求項８】
各々の前記傾斜上側パネルと前記２部材ウェブとの間に開口を設け、それにより、折り曲げやすくしている、請求項７に記載の方法。
【請求項９】
カートンであって、
上部パネル、
該上部パネルに連結された傾斜上側パネル、
該傾斜上側パネルに連結された下側パネル、
該下側パネルの少なくとも１つに連結された少なくとも１つの底部パネル、
各下側パネルの各側に連結された側端部パネル、
前記上部パネルの各側に連結された上端部パネル、及び
折り線で前記上端部パネルに連結され、且つ前記上端部パネルを閉じる２部材ウェブであって、各ウェブは、それぞれ対応の傾斜上側パネル及び側端部パネルに連結されている、２部材ウェブ、
を備えるカートン。
【請求項１０】
各２部材ウェブは、折り込みパネル、ガセットパネル、及び各隣接した折り込みパネルと側端部パネルとの間に形成された切り込みを有する、請求項９に記載のカートン。
【請求項１１】
前記切り込みは、前記カートンの作製中に前記折り込みパネルを内側に引き込むことができる、請求項１０に記載のカートン。
【請求項１２】
前記少なくとも１つの底部パネルは、閉鎖位置に折り曲げられた２つの底部パネルを含み、１つの底部パネルが、各下側パネルに連結されている、請求項９〜１１のいずれか１項に記載のカートン。
【請求項１３】
前記カートン内に配置された複数本のボトルをさらに備える、請求項９〜１２のいずれか１項に記載のカートン。
【請求項１４】
各上端部パネルは、折り曲げ可能に連結された上端部パネルフラップを含む、請求項９〜１３のいずれか１項に記載のカートン。
【請求項１５】
カートンを作製するためのブランクであって、
上部パネル、
該上部パネルに連結された上側パネル、
該上側パネルに連結された下側パネル、
該下側パネルの少なくとも１つに連結され、且つ閉鎖位置に折り曲げられることができる少なくとも１つの底部パネル、
各下側パネルの各側に連結された側端部パネル、
前記上部パネルの各側に連結された上端部パネル、及び
折り線で前記上端部パネルに連結された２部材ウェブであって、各２部材ウェブは、それぞれ対応の上側パネル及び側端部パネルに連結されており、また、該ブランクを前記カートンになるように形成する間、前記上端部パネルを該２部材ウェブによって閉じることができる、２部材ウェブ、
を備える、カートンを形成するためのブランク。
【請求項１６】
各２部材ウェブは、折り込みパネル、ガセットパネル、及び各隣接した折り込みパネルと側端部パネルとの間に形成された切り込みを有する、請求項１５に記載のカートン。
【請求項１７】
前記切り込みは、前記ブランクを前記カートンになるように形成する間に前記折り込みパネルを内側に引き込むことができる、請求項１６に記載のカートン。
【請求項１８】
ブランクからカートンを作製する方法であって、
上部パネル、該上部パネルに連結された上側パネル、該上側パネルに連結された下側パネル、該下側パネルの少なくとも１つに連結された少なくとも１つの底部パネル、各下側パネルの各側に連結された側端部パネル、前記上部パネルの各側に連結された上端部パネル、及び折り線で該上端部パネルに連結された２部材ウェブであって、各２部材ウェブは、それぞれ対応の上側パネル及び側端部パネルに連結されている、２部材ウェブを備えるブランクを設けること、
前記少なくとも１つの底部パネルを固定することであって、それにより、スリーブを形成する、固定すること、
前記側端部パネルを閉じること、及び
前記上端部パネルを前記側端部パネルに固定すること、
を含む方法。
【請求項１９】
各２部材ウェブは、折り込みパネル、ガセットパネル、及び各隣接した折り込みパネルと側端部パネルとの間に形成された切り込みを有する、請求項１８に記載のカートン。
【請求項２０】
前記切り込みは、前記側部パネルを閉じている間に前記ガセットパネルを内側に引き込むことができる、請求項１９に記載のカートン。
【請求項２１】
各々の上側パネルと２部材ウェブとの間に開口が設けられている、請求項１８〜２０のいずれか１項に記載のカートン。
【請求項２２】
前記少なくとも１つの底部パネルは、２つの底部パネルを含み、該少なくとも１つの底部パネルを固定することは、前記底部パネルを閉鎖位置に折り曲げること、及び前記底部パネルを合わせて固定することを含む、請求項１８〜２１のいずれか１項に記載の方法。
【請求項２３】
複数のボトルを前記スリーブ内に包み込むことをさらに含む、請求項１８〜２２のいずれか１項に記載の方法。
【発明の詳細な説明】
【技術分野】
【０００１】
［発明の分野］
本発明は、折り曲げて糊付けすることによってブランクから構成され、内部に保持されている容器を完全に保護する完全包囲形パックキャリアに関する。ブランク内で、各ガセットパネルと各隣接ドアパネルとの間に小さい切り込みが設けられ、それにより、折り曲げ及び糊付け作業中、タッカーフィンガを使用する必要なく、端部フラップ部分を適当な位置に折り込むことができる。
【背景技術】
【０００２】
［発明の背景］
内部に収容されている容器の保護を行う完全包囲形カートンは、当該技術分野において既知である。これらの完全包囲形容器は通常、すべてのパネルが確実に所定位置にあるようにするために、カートンの側部を内側に折り込むことができる成形手段、たとえばブレード、フィンガ又はホィールを使用する折り曲げ／糊付け機により、ブランクからカートンになるように形成される。カートンを側部パネル、上部パネル又は底部パネルに沿って折り曲げて糊付けし、製品容器を詰め込んで、装置内での折り曲げ／糊付け作業に進める。次に、カートンパックを９０度回転させ、各カートン端部の側部ドアを閉じる。次に、上部パネルを下方に移動させる（rail）、又は押し下げて、側部ドアに糊付けする。
【０００３】
一般的に、従来型折り曲げ機は、成形処理中に端部フラップを折り曲げる作用をする、長手方向に間隔を置いたタッカーフィンガを有する。これらのタッカーフィンガは、カートンを特定位置に向けた後、ドアパネルを押し合わせる。タッカーフィンガを作動させるために、パックを９０°回転させ、それにより、ドアパネルを閉じて、ガセットを形成できるようにしなければならない。タッカーフィンガを折り曲げ路に沿って設けて作動させるためには、タッカーフィンガの移動隙間を与えるために、折り曲げ前に９０°回転させるのに十分な空間及び機械類が必要である。折り曲げ機がそのようなタッカーフィンガを必要としなければ、従来に必要であったものより機械装備を減らし、且つ空間を小さくしてより効率的に折り込み作業を実施することができるであろう。
【発明の開示】
【課題を解決するための手段】
【０００４】
［発明の概要］
各折り込みパネル及び各ドアパネル間に特殊配置された切り込みを使用することにより、ガセットを形成することができる完全包囲形パックが提供されている。これらの切り込みにより、折り曲げ機内に従来は必要であったタッカーフィンガが不要になるであろう。
【０００５】
本パックを形成するために使用されるブランクは、上部ガセット、側部ドアパネル及びロッキング底部パネルを備える。上部ガセットウェブは、一般的に長いナイフ刻み目（knife cut）で切れ目が付けられ、折り曲げ中にウェブ切れ目の下向きの力を軽減するためにはぎ取られた領域を有する。ブランクの側部ドアは、各ガセットパネル隅部に切り込みを有する。ドアパネルを閉じたとき、切り込みが折り込みパネルを内側に引き込むことを助ける。折り込みパネルを内側に引き込むことにより、ガセットを形成するためにタッカーフィンガを使用する必要なく、ガセットの形をとることができる。切り込みを使用してこれらのパックを折り曲げて糊付けする方法も、本明細書に記載されている。
【０００６】
本ブランクの切り込みは、折り込みパネルを内側に引き込む作用により、折り曲げ／糊付け作業中にすべての端部パネルを確実に適切な向きに置くことができる。ガセットパネルは、折り込みパネルとドアパネルとの間に形成された切り込みによって内側に引き込まれる。
【０００７】
本装置は通常の折り込みフィンガ又は他の折り込み手段を必要としないので、装備、余裕空間及びエネルギの節約が本カートンによって実現されるであろう。折り込みパネルを内側に折り込むために必要な圧力は、比較的わずかであり、側端部パネル又はドアパネルを閉じることによって実現されることができる。折り込みパネルを内側に折り込んだ後、装置は一般的に、（通常は糊又は他の接着剤を受け取るのに十分に上端部パネルフラップを上昇させることにより）糊を塗布し、次に上端部パネルをドアパネル上に当てる（plow）、又は他の方法で閉じ、それにより、各カートン端部を閉じる。
【０００８】
上部パネルを備え、上部パネルは、傾斜上側パネルに連結され、傾斜上側パネルは、下側パネルに連結され、下側パネルは、底部パネルに連結される、ボトルを搬送するための完全包囲形ラップアラウンド式カートンが開示される。カートンは、各下側パネルの各側に連結された側端部パネル、及び上部パネルの各側に連結された上端部パネルを有する。底部パネルは、閉鎖位置に折り曲げられることができる。上端部パネルは、折り線で連結された２部材ウェブによって閉じられることができる。ウェブは、それぞれ対応の傾斜上側パネル及び側端部パネルに連結される。ウェブは、折り込みパネル、ガセットパネル、及び各々の折り込みパネルと各々の側端部パネルとの間に形成された切り込みを有する。切り込みは、カートンの作製中に折り込みパネルを内側に引き込むことができるようにする。
【０００９】
ブランクから完全包囲形ラップアラウンド式カートンを形成する方法も開示される。本方法は、底部パネルを合わせて固定するステップであって、それにより、ボトルを包み込むスリーブを形成する、固定するステップ、切り込みがガセットパネルを内側に引き込むようにして側端部パネルを閉じるステップ、及び上端部パネルを側端部パネルに固定するステップを含む。
【００１０】
本発明の上記及び他の目的、特徴及び利点は、添付の図面と組み合わせて以下の明細書を読むことにより、より明らかになるであろう。
【発明を実施するための最良の形態】
【００１１】
［好適な実施形態の詳細な説明］
本発明は、主として、ソフトドリンクやビール等を収容するために使用されるタイプのボトル又は容器を収容するラップカートン（wrap cartons）で使用されることを意図している。そのようなボトルの典型的な例は、ほぼ円筒形の本体を有し、その本体は、上部分及び底部と、本体の上部分とつながっている先細りの肩部とを備える。一般的に、首部が肩部上に形成されており、これは本体より小径である。従来型のボトルＢが図２に示されており、首フランジが首部から外向きに突出し、キャップが首フランジの上端に取り付けられている。
【００１２】
本発明のカートンを形成するためのブランク１０を図１に示す。本実施形態のブランク１０は、図２に示されているように、それぞれ３本ずつ２列に配置された６本のボトルＢを収容するのにふさわしいが、任意の所望数及び配置のボトル又は他の製品容器を収容する寸法にすることができるであろう。ブランク１０は一般的に、板紙等の折り曲げ可能な材料シートから形成されている。ブランク１０は、折り線１４で下側パネル１６に折り曲げ可能に連結された一次ロックパネル１２を有し、下側パネル１６は、折り線１８で傾斜上側パネル２０に連結されている。傾斜上側パネル２０は、折り線２２で上部パネル２４に連結され、上側パネル２４は、折り線２６で傾斜上側パネル２８に連結されている。傾斜上側パネル２８は、折り線３０で下側パネル３２に連結されており、下側パネル３２は、折り線３４で底部パネル３６に連結されている。
【００１３】
図１に示されているように、ブランク１０は、二等分する水平線に関して対称的に形成されており、このことは、本カートンの効率的な製造を助ける。しかしながら、カートンはそのように対称的である必要はない。ブランク１０は、直線的な縁部を有する矩形であり、これにより、ブランクが切り取られる板紙ウェブ上でのブランクの効率的なレイアウトが可能である。装填済みカートンを運ぶのに好都合であるように、ブランク１０は上部パネルに形成された指穴３８を有する。これらの指穴３８は、カートンを運ぶために人の指を受け取ることができるブランク内の空隙又は開口として示されているが、それらを切り取り線に沿って切り離し可能な指フラップとして形成して、指フラップを上部パネルから取り除くか、上部パネル内へ窪ませることができるようにしてもよい。指穴３８は、隣接した折り線４６を有することができ、それにより、上部パネル２４の一部を内側に折り込み、それによってさらに容易且つ快適に運ぶことができる。
【００１４】
ボトルＢは通常、ヒール保持アセンブリ４０又は他の適当な拘束手段を備えることによって、カートン内で移動できないように拘束される。これらのヒール保持アセンブリ４０は、カートンを、各ボトルＢのヒールの、各ヒール保持アセンブリ４０内に形成されたヒール開口部４４を通って延出する部分で緊密状態にロックすることができるようにする。下側パネル１６及び３２内にスリット又は折り線４２を形成することができ、それにより、カートンを締め付けことができるとともに、ヒール開口部４４が引き裂かれないようにする。
【００１５】
本明細書のブランク１０は、完全包囲形のラップアラウンド式カートンを形成するので、カートンの端部も閉じられる。したがって、側端部パネル４８が、折り線５０で下側パネル３２に連結され、側端部パネル５２が、折り線５４で下側パネル３２に連結されている。側端部パネル５６が、折り線５８で下側パネル１６に連結され、側端部パネル６０が、折り線６２で下側パネル１６に連結されている。カートンの上端部は、上端部パネル６８によって閉じられ、上端部パネル６８は、折り線７０で上部パネル２４に連結されている。上端部パネル７４が、折り線７２で上部パネル２４に連結されている。カートンを形成したとき、側端部パネル４８、５２、５６、６０用の追加支持を行うために、上端部パネル６８及び７４にはフラップも取り付けられている。したがって、上端部パネルフラップ６４が、折り線６６で上端部パネル６８に連結され、上端部パネルフラップ７８が、折り線７６で上端部パネル７４に連結されている。
【００１６】
上端部パネルをボトルＢの周りで下向きに折り曲げてブランク１０をカートンになるように形成するとき、上端部パネルフラップ６４及び７８は、それぞれ側端部パネル４８、５６及び側端部パネル５２、６０を補強するように作用する。上端部パネルフラップ６４及び７８は、糊又は他の接着剤を受け取ることができ、それぞれの折り線６６及び７６の周りに折り曲げられ、それにより、それぞれの側端部パネルに付着して、確実な完全包囲形カートンを確保することができる。各上端部パネルは、ウェブ部分によってその隣接の側端部パネルに連結され、ウェブ部分は、カートンでボトル群を包み込んだ後、上端部パネル６８及び７４と側端部パネル４８、５２、５６及び６０とを所定位置に保持しやすくする。
【００１７】
ブランク１０をカートンになるように形成するために、上端部パネル６８及び７４と傾斜上側パネル２０及び２８との間にガセットパネル及び折り込みパネルが設けられている。ガセットパネル（追加パネル（add panel）としても知られている）及び折り込みパネルが、カートンのガセットを形成している。折り込みパネル８６が、折り線８２で傾斜上側パネル２０に連結され、且つ折り線８４でガセットパネル８０に連結されている。ガセットパネル８０は、折り線８８で上端部パネル７４に連結されている。折り込みパネル９６が、折り線９２で傾斜上側パネル２０に連結され、且つ折り線９４でガセットパネル９０に連結されている。ガセットパネル９０は、折り線９８で上端部パネル６８に連結されている。折り込みパネル１０６が、折り線１０８で傾斜上側パネル２８に連結され、且つ折り線１０４でガセットパネル１００に連結されている。ガセットパネル１００は、折り線１０２で上端部パネル７４に連結されている。折り込みパネル１１６が、折り線１１８で傾斜上側パネル２８に連結され、且つ折り線１１４でガセットパネル１１０に連結されている。ガセットパネル１１０は、折り線１１２で上端部パネル６８に連結されている。
【００１８】
折り込みパネル８６、９６、１０６及び１１６がそれぞれの側端部パネル６０、５６、５２及び４８に取り付けられている位置に、切り込み１３０が設けられている。本明細書でさらに説明するように、各側端部パネルを内側に折り込むとき、切り込み１３０がそれぞれの折り込みパネルを内側に引き込む作用をし、それにより、折り曲げ機内にタッカーフィンガを使用することなく、ガセットを形成することができる。
【００１９】
本発明のカートンは、貼り合わされることができ、且つ／又は従来型ロッキングシステムを使用することができる。図１〜図４に示されている実施形態では、一次ロッキングシステム及び二次ロッキングシステムの両方を備えるロッキングシステムが設けられている。一次ロッキングシステムは、一次ロックパネル１２内の一次雄ロック１２４Ａ、１２４Ｂと底部パネル３６内の一次雌開口１２２Ａ、１２２Ｂとの間のロッキング構成である。カートンのロッキング中、一次雄ロック１２４Ａ、１２４Ｂが一次雌開口１２２Ａ、１２２Ｂのレッジの上に引っ掛けられる。これらの一次ロックは、主固定機構として作用して、カートンの端部をフラップと一緒に連結し、それにより、カートンをボトルＢの周りに緊密に締め付ける。
【００２０】
図示の二次ロッキングシステムは、一次ロックパネル１２の延長部分として形成された二次雄ロック１２８Ａ〜１２８Ｃと、底部パネル３６内に形成された二次雌開口１２６Ａ〜１２６Ｃとを有する。これらの二次ロックは、一次ロックに追加して設けられ、それにより、カートンをロック状態に確実に保つようにしている。
【００２１】
本カートンに対して、任意数又は構成の雄ロック及び雌開口を有する他のロッキングシステムを使用してもよい。また、カートンを閉鎖し、且つ完全包囲形カートンを確実に所定位置に保持する糊、テープ又は任意の他の接着剤により、カートンを合わせて固定してもよい。
【００２２】
図２に示されているように、本実施形態のカートンは、ブランク１０の上部パネル２４をボトル群Ｂの上部を覆う位置へ移動させることにより、図１のブランク１０から形成される。次に、包装機によって上端部パネル６８及び７４をボトルを覆う位置へ下向きに折り曲げる。
【００２３】
図３は、折り込みパネルを内側に引き込む側端部パネルドアの斜視図を示す。従来型カートンでは、包装機が、折り曲げ中に折り込みパネル８６、９６、１０６及び１１６を押し込むために使用されるタッカーフィンガを備えていた。しかしながら、本カートンでは、折り込みパネルと側端部パネルとの間に切り込み１３０が設けられており、これにより、側端部パネル４８、５２、５６及び６０を内向きに移動させることによって本カートンを閉鎖することができる。次に、側端部パネルが、折り込みパネル８６、９６、１０６及び１１６を内側に引き込む。折り込みパネル８６、９６、１０６及び１１６のこのような引き込みにより、折り曲げ機内にタッカーフィンガを必要としないで、ガセットの形をとることができる。したがって、上端部パネル６８及び７４を閉じるとき、切り込み１３０はガセットパネル８０、９０、１００及び１１０を内側に折り込むことができるまで十分に折り込みパネルを内側に引き込み、それにより、図４に示されているような閉鎖形カートンを形成することができる。したがって、本ブランクは、タッカーフィンガを使用しないで、カートンになるように形成される。
【００２４】
図５の拡大図に示されているように、ブランク１０内に設けられている切り込み１３０は一般的に、折り線とブランク１０の外周との間の空間として形成される。切り込み１３０は通常、１．５〜３ミリメートルの線分に形成されるが、本明細書に詳述した機能を実行する任意長さであることができる。切り込みは、それらがドア及びガセットパネルに取り付けられているために、ガセットパネルを内側に引き込む作用をする。
【００２５】
ウェブ部分の折り曲げを容易にするために、折り込みパネル、ガセットパネル、上端部パネル及び傾斜上側パネル間に開口部又は開口１２０を設けることもできる。図３に示されているように、傾斜上側パネル２０及び２８を押し下げる。一次ロックパネル１２及び底部パネル３６を上向きに折り曲げてボトルＢの底部に当て、ロックする。圧縮フィンガをヒール開口部４４に通して挿入し、それにより、カートンを締め付けてロックする。二次雄ロック１２８Ａ〜１２８Ｃを二次雌開口１２６Ａ〜１２６Ｃ内へ押し込む。一次雄ロック１２４Ａ、１２４Ｂを一次雌開口１２２Ａ、１２２Ｂ内へ押し込む。二次ロックシステムにより、一次ロックシステムがロック解除しないようにすることができる。
【００２６】
ブランク１０を完全包囲形カートンになるように形成するために、従来型包装機を使用することができるが、カートン端部を閉じるためにタッカーフィンガを使用する必要がないであろう。タッカーフィンガが不必要になる結果、余裕空間、装備及び時間が大幅に節約され、また、折り曲げ及び糊付け処理における従来の１ステップがなくなるであろう。
【００２７】
本明細書に記載した完全包囲形カートンは、底部パネル及び上部パネル間のウェブ部分を内側に緊密状に折り曲げてボトルに当てて構成される。一次ロックパネル１２及び底部パネル３６が互いに重なって、ブランクをボトルに当接した位置に保持しやすくするのを助ける。底部パネル、一次ロックパネル及び上端部パネル間のウェブ部分は、ガセットパネル、折り込みパネル及び側端部パネルを設けることによって固定され、それにより、傾斜上側パネル及び下側パネルを緊密にボトルに当てた状態に保持することができる。
【００２８】
本明細書に記載したさまざまなパネルの寸法及び幾何学的形状は、カートン内に収容すべきボトル又は容器の大きさ及び形状に応じて変更されることができるが、パネルの形成により、ボトルを完全包囲形カートン内に固定するのに十分にカートンがボトルを包み込んで緊密にフィットすることを確保することが、重要である。
【００２９】
本発明をその好適な形態において開示してきたが、添付の特許請求の範囲に記載の本発明の精神及び範囲及びその均等物から逸脱しない限り、本発明において多くの変更、追加及び削除を行ってもよいことは、当業者には明らかであろう。
【図面の簡単な説明】
【００３０】
【図１】本発明の完全包囲形パックを形成するためのブランクの平面図である。
【図２】一群の６本のボトルに被せられた図１のブランクの斜視図である。
【図３】折り込みパネルを内側に引き込む側端部パネルドアの斜視図である。
【図４】図２のボトル群を完全に包み込むカートンの一端部の斜視図である。
【図５】側端部パネルと折り込みパネルとの間の切り込みの拡大図である。
【図１】
2008501587.tif 000003
【図２】
2008501587.tif 000004
【図３】
2008501587.tif 000005
【図４】
2008501587.tif 000006
【図５】
2008501587.tif 000007
【手続補正書】
【提出日】平成18年4月3日(2006.4.3)
【手続補正１】
【補正対象書類名】特許請求の範囲
【補正対象項目名】全文
【補正方法】変更
【補正の内容】
【特許請求の範囲】
【請求項１】
完全包囲形ラップアラウンド式カートンであって、
上部パネルを備え、該上部パネルは、傾斜上側パネルに連結され、該傾斜上側パネルは、下側パネルに連結され、該下側パネルは、底部パネルに連結されており、
該カートンは、各下側パネルの各側に連結された側端部パネル、及び前記上部パネルの各側に連結された上端部パネルを有し、さらに、
前記底部パネルは、閉鎖位置に折り曲げられることができ、前記上端部パネルは、折り線で連結された２部材ウェブによって閉じられることができ、また、該ウェブは、それぞれ対応の傾斜上側パネル及び側端部パネルに連結されており、また、該ウェブは、折り込みパネル、ガセットパネル、及び各々の該折り込みパネルと各々の前記側端部パネルとの間に形成された切り込みを有し、該切り込みは、該カートンの作製中に折り込みパネルを内側に引き込むことができるようにする、完全包囲形ラップアラウンド式カートン。
【請求項２】
各々の上側パネルと２部材ウェブ間とのに開口が設けられている、請求項１に記載のカートン。
【請求項３】
前記底部パネルの各々は、相互連結形ロッキング機構を有する、請求項１に記載のカートン。
【請求項４】
前記カートンは、ボトルを収容することができる、請求項１に記載のカートン。
【請求項５】
前記上端部パネルの各々は、前記カートンの各端部に対して追加構造を与えることができる折り線で相互連結された上端部パネルフラップを有する、請求項１に記載のカートン。
【請求項６】
完全包囲形ラップアラウンド式カートンを形成するためのブランクであって、
上部パネルを備え、該上部パネルは、傾斜上側パネルに連結され、該傾斜上側パネルは、下側パネルに連結され、該下側パネルは、底部パネルに連結されており、
該ブランクは、各下側パネルの各側に連結された側端部パネル、及び前記上部パネルの各側に連結された上端部パネルを有し、さらに、
前記底部パネルは、閉鎖位置に折り曲げられることができ、前記上端部パネルは、折り線で連結された２部材ウェブによって閉じられることができ、また、該ウェブは、それぞれ対応の傾斜上側パネル及び側端部パネルに連結されており、また、該ウェブは、折り込みパネル、ガセットパネル、及び各々の前記折り込みパネルと各々の前記側端部パネルとの間に形成された切り込みを有し、該切り込みは、該ブランクを前記カートンになるように形成する間、折り込みパネルを内側に引き込むことができるようにする、完全包囲形ラップアラウンド式カートン。
【請求項７】
完全包囲形ラップアラウンド式カートンをブランクから作製する方法であって、該カートンは、上部パネルを備えるブランクを有し、該上部パネルは、傾斜上側パネルに連結され、該傾斜上側パネルは、下側パネルに連結され、該下側パネルは、底部パネルに連結されており、前記ブランクは、各下側パネルの各側に連結された側端部パネル、及び前記上部パネルの各側に連結された上端部パネルを有し、さらに、前記底部パネルは、閉鎖位置に折り曲げられることができ、前記上端部パネルは、折り線で連結された２部材ウェブによって閉じられることができ、また、該ウェブは、それぞれ対応の傾斜上側パネル及び側端部パネルに連結されており、また、該ウェブは、折り込みパネル、ガセットパネル、及び各々の該折り込みパネルと各々の前記側端部パネルとの間に形成された切り込みを有し、該切り込みは、前記カートンの作製中に前記折り込みパネルを内側に引き込むことができるようにする、完全包囲形ラップアラウンド式カートンをブランクから作製する方法であって、
前記底部パネルを合わせて固定することであって、それにより、スリーブを形成する、固定すること、
前記切り込みが前記ガセットパネルを内側に引き込むようにして、前記側端部パネルを閉じること、及び
前記上端部パネルを前記側端部パネルに固定すること
を含む、完全包囲形ラップアラウンド式カートンをブランクから作製する方法。
【請求項８】
各々の前記傾斜上側パネルと前記２部材ウェブとの間に開口を設け、それにより、折り曲げやすくしている、請求項７に記載の方法。
【請求項９】
カートンであって、
上部パネル、
該上部パネルに連結された傾斜上側パネル、
それぞれ対応の横方向折り線で前記傾斜上側パネルに連結された下側パネル、
該下側パネルの少なくとも１つに連結された少なくとも１つの底部パネル、
それぞれ対応の長手方向折り線で各下側パネルの各側に連結された側端部パネル、
前記上部パネルの各側に連結された上端部パネル、及び
折り線で前記上端部パネルに連結され、且つ前記上端部パネルを閉じる２部材ウェブであって、各ウェブは、それぞれ対応の傾斜上側パネル及び側端部パネルに連結されている、２部材ウェブ、
を備えるカートン。
【請求項１０】
各２部材ウェブは、折り込みパネル、ガセットパネル、及び各隣接した折り込みパネルと側端部パネルとの間に形成された切り込みを有する、請求項９に記載のカートン。
【請求項１１】
前記切り込みは、前記カートンの作製中に前記折り込みパネルを内側に引き込むことができ、各ウェブの前記切り込みは、前記それぞれ対応の下側パネル及び傾斜上側パネルを連結する横方向折り線の近傍に位置し、前記長手方向折り線は、前記それぞれ対応の側端部パネル及び下側パネルを連結する、請求項１０に記載のカートン。
【請求項１２】
前記少なくとも１つの底部パネルは、閉鎖位置に折り曲げられた２つの底部パネルを含み、１つの底部パネルが、各下側パネルに連結されている、請求項９〜１１のいずれか１項に記載のカートン。
【請求項１３】
前記カートン内に配置された複数本のボトルをさらに備える、請求項９〜１２のいずれか１項に記載のカートン。
【請求項１４】
各上端部パネルは、折り曲げ可能に連結された上端部パネルフラップを含む、請求項９〜１３のいずれか１項に記載のカートン。
【請求項１５】
カートンを作製するためのブランクであって、
上部パネル、
該上部パネルに連結された上側パネル、
それぞれ対応の横方向折り線で前記上側パネルに連結された下側パネル、
該下側パネルの少なくとも１つに連結され、且つ閉鎖位置に折り曲げられることができる少なくとも１つの底部パネル、
それぞれ対応の長手方向折り線で各下側パネルの各側に連結された側端部パネル、
前記上部パネルの各側に連結された上端部パネル、及び
折り線で前記上端部パネルに連結された２部材ウェブであって、各２部材ウェブは、それぞれ対応の上側パネル及び側端部パネルに連結されており、また、該ブランクを前記カートンになるように形成する間、前記上端部パネルを該２部材ウェブによって閉じることができる、２部材ウェブ、
を備える、カートンを形成するためのブランク。
【請求項１６】
各２部材ウェブは、折り込みパネル、ガセットパネル、及び各隣接した折り込みパネルと側端部パネルとの間に形成された切り込みを有する、請求項１５に記載のカートン。
【請求項１７】
前記切り込みは、前記ブランクを前記カートンになるように形成する間に前記折り込みパネルを内側に引き込むことができる、請求項１６に記載のカートン。
【請求項１８】
ブランクからカートンを作製する方法であって、
上部パネル、該上部パネルに連結された上側パネル、それぞれ対応の横方向折り線で該上側パネルに連結された下側パネル、該下側パネルの少なくとも１つに連結された少なくとも１つの底部パネル、それぞれ対応の長手方向折り線で各下側パネルの各側に連結された側端部パネル、前記上部パネルの各側に連結された上端部パネル、及び折り線で前記上端部パネルに連結された２部材ウェブであって、各２部材ウェブは、それぞれ対応の上側パネル及び側端部パネルに連結されている、２部材ウェブを備えるブランクを設けること、
前記少なくとも１つの底部パネルを固定し、それにより、スリーブを形成する、固定すること、
前記側端部パネルを閉じること、及び
前記上端部パネルを前記側端部パネルに固定すること、
を含む方法。
【請求項１９】
各２部材ウェブは、折り込みパネル、ガセットパネル、及び各隣接した折り込みパネルと側端部パネルとの間に形成された切り込みを有する、請求項１８に記載のカートン。
【請求項２０】
前記切り込みは、
（ａ）それぞれ対応の下側パネル及び上側パネルを連結する横方向折り線、及び
（ｂ）それぞれ対応の側端部パネル及び下側パネルを連結する長手方向折り線、
の近傍に位置し、
さらに、前記切り込みは、前記折り込みパネルを内側に引き込み、それにより、前記上端部パネルを閉じるように前記ガセットパネルを位置付けることができる、請求項１９に記載の方法。
【請求項２１】
各々の上側パネルと２部材ウェブとの間に開口が設けられている、請求項１８〜２０のいずれか１項に記載のカートン。
【請求項２２】
前記少なくとも１つの底部パネルは、２つの底部パネルを含み、該少なくとも１つの底部パネルを固定することは、前記底部パネルを閉鎖位置に折り曲げること、及び前記底部パネルを合わせて固定することを含む、請求項１８〜２１のいずれか１項に記載の方法。
【請求項２３】
複数のボトルを前記スリーブ内に包み込むことをさらに含む、請求項１８〜２２のいずれか１項に記載の方法。
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
カートンであって、
上部パネル、
該上部パネルに連結された上側パネル、
それぞれの横方向折り線で前記上側パネルにそれぞれ連結された下側パネルであって、前記カートンの対向する端部間に延在する下側パネル、
該下側パネルの少なくとも１つに連結された少なくとも１つの底部パネル、
それぞれの長手方向折り線で下側パネルの各側にそれぞれ連結された側端部パネルであって、前記カートンの前記端部を少なくとも部分的に横切ってそれぞれ延在する側端部パネル、
前記上部パネルの各側にそれぞれ連結された上端部パネル、及び
折り線で前記上端部パネルにそれぞれ連結されるウェブであって、折り込みパネルと、ガセットパネルと、切り込みと、を含むウェブ、
を備え、
前記折り込みパネルがそれぞれ前記側端部パネルの隣にあり、
各ウェブに対して、前記ウェブの前記切り込みが前記ウェブの前記折り込みパネルと前記ウェブの隣の前記側端部パネルとの間に形成され、
前記カートンを形成する間、前記切り込みは内側に前記折り込みパネルのそれぞれを引き込むように作用し、
各切り込みは対応する各々の前記横方向折り線と各々の前記長手方向折り線との両方の近くにあるカートン。
【請求項２】
各ウェブに対して、前記ウェブの前記切り込みは、前記ウェブの折り込みパネルと前記ウェブに近い前記側端部パネルとの間のスペースを有し、前記スペースは弱める折り線若しくは他の線がほぼ無いカートン材料を含む、請求項１に記載のカートン。
【請求項３】
前記各々の横方向折り線と前記各々の長手方向折り線が交差し、前記各々の横方向折り線の部分は、その横方向端部まで交差部を超え横方向に延在し、各切り込みの前記スペースは前記各々の横方向折り線の前記横方向端部と前記カートンの外周との間にある、請求項１に記載のカートン。
【請求項４】
折り曲げやすくするため、各々の上側パネルと各々のウェブとの間に開口を備える、請求項１に記載のカートン。
【請求項５】
前記少なくとも一つの底部パネルは閉鎖位置に折り曲げられる２つの底部パネルを有し、前記２つの底部パネルの各々は、それぞれ前記下側パネルの一つに連結される、請求項１に記載のカートン。
【請求項６】
前記底部パネルの各々は、相互連結形ロッキング機構を有する、請求項５に記載のカートン。
【請求項７】
前記カートン内に配置された複数本のボトルをさらに備える、請求項１に記載のカートン。
【請求項８】
各上端部パネルは、折り曲げ可能に連結された上端部パネルフラップを含む、請求項１に記載のカートン。
【請求項９】
カートンを作製するためのブランクであって、
上部パネル、
該上部パネルに連結された上側パネル、
それぞれの横方向折り線で前記上側パネルにそれぞれ連結された下側パネル、
該下側パネルの少なくとも１つに連結される少なくとも１つの底部パネル、
それぞれの長手方向折り線で下側パネルの各側にそれぞれ連結された側端部パネル、
前記上部パネルの各側に連結された上端部パネル、及び
長手方向折り線で前記下側パネルの各側に連結される側端部パネルであって、前記上部端部パネルの各々の横方向の縁部より前記ブランクの前記中央から遠くに位置する各々の横方向の縁部まで延在する側端部パネル、
折り線におり前記上端部パネルに連結されたウェブであって、折り込みパネルと、ガセットパネルと、切り込みとを含むウェブ、
を備え、
前記折り込みパネルはそれぞれ前記側端部パネルの隣にあり、
各ウェブに対して、前記ウェブの前記切り込みが前記ウェブに前記折り込みパネルと前記ウェブの隣の前記側端部パネルとの間に形成され、
前記カートンを形成する間、前記切り込みは内側に前記折り込みパネルを引き込むように作用し、
各切り込みは各々の前記横方向折り線と各々の前記長手方向折り線の両方に近くにある、カートンを形成するためのブランク。
【請求項１０】
各ウェブに対して、前記ウェブの前記切り込みは、前記ウェブの折り込みパネルと、前記ウェブに近い前記側端部パネルとの間のスペースを有し、前記スペースは弱める折り線若しくは他の線がほぼ無いカートン材料を含む、請求項９に記載のブランク。
【請求項１１】
前記各々の横方向折り線と前記各々の長手方向折り線が交差し、前記各々の横方向折り線の部分は、その横方向端部まで交差部を超え横方向に延在し、各切り込みの前記スペースは前記各々の横方向折り線の前記横方向端部と前記カートンの外周との間にある、請求項９に記載のブランク。
【請求項１２】
折り曲げやすくするため、各々の上側パネルと各々のウェブとの間に開口を備える、請求項９に記載のブランク。
【請求項１３】
前記少なくとも一つの底部パネルは閉鎖位置に折り曲げられる２つの底部パネルを有し、前記２つの底部パネルの各々は、それぞれ前記下側パネルの一つに連結される、請求項９に記載のブランク。
【請求項１４】
各上端部パネルは、折り曲げ可能に連結された上端部パネルフラップを含む、請求項９に記載のブランク。
【請求項１５】
ブランクからカートンを作製する方法であって、
上部パネル、該上部パネルに連結された上側パネル、それぞれの横方向折り線で該上側パネルにそれぞれ連結された下側パネル、該下側パネルの少なくとも１つに連結された少なくとも１つの底部パネル、それぞれの長手方向折り線で各下側パネルの各側にそれぞれ連結された側端部パネル、前記上部パネルの各側に連結された上端部パネル、及び折り線で前記上端部パネルにそれぞれ連結されたウェブであって、折り込みパネルと、ガセットパネルと、切り込みと、を含む各ウェブ、を備え、各ウェブに対して、前記ウェブの前記切り込みが前記ウェブの前記折り込みパネルと前記ウェブの隣の前記側端部パネルとの間に形成され、前記カートンを形成する間、前記切り込みは内側に前記折り込みパネルのそれぞれを引き込むように作用し、各切り込みは対応する各々の前記横方向折り線と各々の前記長手方向折り線との両方の近くにあるブランクを設けること、
前記少なくとも１つの底部パネルを固定し、それにより、スリーブを形成する、固定すること、
前記側端部パネルを閉じること、及び
前記上端部パネルを前記側端部パネルに固定すること、
を含む方法。
【請求項１６】
各上側パネルと各々のウェブとの間に開口が設けられている、請求項１５に記載の方法。
【請求項１７】
前記少なくとも１つの底部パネルは、２つの底部パネルを含み、該少なくとも１つの底部パネルを固定することは、前記底部パネルを閉鎖位置に折り曲げること、及び前記底部パネルを合わせて固定することを含む、請求項１５に記載の方法。
【請求項１８】
複数のボトルを前記スリーブ内に包み込むことをさらに含む、請求項１５に記載の方法。
【手続補正２】
【補正対象書類名】明細書
【補正対象項目名】００２４
【補正方法】変更
【補正の内容】
【００２４】
図５の拡大図に示されているように、ブランク１０内に設けられている切り込み１３０は一般的に、折り線とブランク１０の外周との間の空間（スペース）として形成される。切り込み１３０は通常、１．５〜３ミリメートルの線分に形成されるが、本明細書に詳述した機能を実行する任意長さであることができる。切り込みは、それらがドア及びガセットパネルに取り付けられているために、ガセットパネルを内側に引き込む作用をする。
【国際調査報告】
2008501587.tif 000008
2008501587.tif 000009
2008501587.tif 000010